(57)【要約】【課題】簡単な構成で、表面画像の出力位置や出力範囲に対応した裏面画像の出力が可能となり、所望の出力結果を得ること。【解決手段】画像形成装置101のＣＰＵ103は、指定されたスキャンモード設定（S601）が、原稿搬送方向先端と原稿の画像上端の位置関係が原稿両面で異なる設定か判定し、該判定結果に基づき裏面の読取の読み取り範囲を決定し（S608〜S612）、原稿を搬送し、表面読取処理と、前記決定された読み取り範囲で裏面を読み取り裏面用ページバッファ502に記憶する裏面読取処理とを並列に実行し（S617〜S626）、該並列に実行された裏面読取処理にて前記決定した読み取り範囲で読み取られて裏面用ページバッファ502に記憶された裏面画像データの有効範囲を、前記判定結果、及び、スキャンモードで指定された原稿サイズと検出された原稿サイズとの搬送方向差分量に基づき決定する（S627〜S635）。【選択図】図６
2018121268.tif 000002
【特許請求の範囲】
【請求項１】
原稿搬送路に沿って原稿を搬送する搬送手段と、前記原稿搬送路の両側に第１読取手段と第２読取手段を具備し、前記搬送路を搬送される原稿の両面を読取可能な画像読取装置であって、
前記第２読取手段により前記原稿から読み取られた画像データを記憶するページバッファとして用いる記憶手段と、
前記原稿の読取設定を指定する指定手段と、
前記搬送路を搬送される原稿を検知する検知手段と、
前記搬送手段により前記原稿を搬送し、前記指定手段で指定された読取設定に基づいて、前記第１読取手段による前記原稿の第１面の読取処理と、前記第２読取手段により前記原稿の第２面を読み取り前記記憶手段に記憶する前記第２面の読取処理とを並列で実行する並列処理を制御する制御手段と、を有し、
前記制御手段は、前記読取設定が前記原稿の搬送方向先端と前記原稿の画像上端の位置関係が前記原稿の両面で異なる読取設定か否かを判定し、該判定の結果に基づき前記第２読取手段の読み取り範囲を決定して前記並列処理を実行し、さらに前記並列処理にて前記第２読取手段により前記決定された読み取り範囲で読み取られて前記記憶手段に記憶された前記第２面の画像データの有効範囲を、前記判定の結果、及び、前記読取設定として指定された原稿サイズと前記検知手段の原稿検知に基づいて検出された原稿サイズとの前記搬送方向の差分量に基づき決定することを特徴とする画像読取装置。
【請求項２】
前記制御手段は、前記位置関係が前記原稿の両面で異なる読取設定の場合、前記第２読取手段の読み取り範囲を、前記搬送される原稿の先端から後端までの範囲とし、また、前記有効範囲を、前記第２面の画像データの先頭から前記差分量に相当する範囲までを除く範囲とすることを特徴とする請求項１に記載の画像読取装置。
【請求項３】
前記制御手段は、前記位置関係が前記原稿の両面で異なる読取設定の場合、前記記憶手段から前記有効範囲の画像データを読み出す場合には、前記第２面の画像データが記憶される先頭アドレスに前記差分量に相当するデータ量を加算したアドレスから、前記指定された原稿サイズに相当するデータ量を読み出すように制御することを特徴とする請求項２に記載の画像読取装置。
【請求項４】
前記制御手段は、前記位置関係が前記原稿の両面で同一となる読取設定の場合、前記第２読取手段の読み取り範囲を、前記搬送される原稿の先端から前記指定された原稿サイズを上限とする範囲とし、また、前記有効範囲を、前記第２面の画像データの全体とすることを特徴とする請求項２又は３に記載の画像読取装置。
【請求項５】
前記制御手段は、前記第１読取手段の読み取り範囲を、前記搬送される原稿の先端から前記読取設定として指定された原稿サイズを上限とする範囲として前記並列処理における前記第１面の読取処理を制御することを特徴とする請求項１〜４のいずれか１項に記載の画像読取装置。
【請求項６】
前記読取設定は、前記原稿が縦長原稿か横長原稿かを指定する設定と、前記原稿が上下開き原稿か左右開き原稿かを指定する設定と、前記原稿の原稿サイズを指定する設定とを含み、
前記制御手段は、前記読取設定として縦長原稿かつ上下開き原稿、又は、横長原稿かつ左右開き原稿が指定された場合、前記位置関係が前記原稿の両面で異なる読取設定であると判定し、また、前記読取設定として縦長原稿かつ左右開き原稿、又は、横長原稿かつ上下開き原稿が指定された場合、前記位置関係が前記原稿の両面で同一の読取設定であると判定することを特徴とする請求項１〜５のいずれか１項に記載の画像読取装置。
【請求項７】
前記原稿から読み取られた画像データに対して画像処理を行う画像処理手段を有し、
前記制御手段は、前記記憶手段に記憶された前記第２面の画像データのうち、前記有効範囲の画像データを前記画像処理手段で画像処理するように制御することを特徴とする請求項１〜６のいずれか１項に記載の画像読取装置。
【請求項８】
前記制御手段は、前記並列処理では、前記第１読取手段により前記第１面を読み取りつつ該第１面から読み取られた画像データを前記画像処理手段により逐次画像処理する第１面の読取処理と、前記第２読取手段により前記第２面を読み取り該第２面から読み取られた画像データを前記記憶手段に記憶する第２面の読取処理を並列で行い、該並列処理が完了した後に、前記記憶手段に記憶されていた前記第２面の画像データを前記画像処理手段により画像処理するように制御することを特徴とする請求項７に記載の画像読取装置。
【請求項９】
原稿搬送路に沿って原稿を搬送する搬送手段と、前記原稿搬送路の両側に第１読取手段と第２読取手段を具備し、前記搬送路を搬送される原稿の両面を読取可能であり、前記第２読取手段により前記原稿から読み取られた画像データを記憶するページバッファとして用いる記憶手段と、前記搬送路を搬送される原稿を検知する検知手段と、を有する画像読取装置の制御方法であって、
前記原稿の読取設定を指定する指定ステップと、
前記読取設定が前記原稿の搬送方向先端と前記原稿の画像上端の位置関係が前記原稿の両面で異なる読取設定か否かを判定し、該判定の結果に基づき前記第２読取手段による前記原稿の第２面の読み取り範囲を決定する第１決定ステップと、
前記搬送手段により前記原稿を搬送し、前記指定ステップで指定された読取設定に基づいて、前記第１読取手段による前記原稿の第１面の読取処理と、前記第２読取手段により前記決定された読み取り範囲で前記原稿の第２面を読み取り前記記憶手段に記憶する前記第２面の読取処理とを並列で実行する並列処理ステップと、
前記並列処理ステップにて前記第２読取手段により前記決定された読み取り範囲で読み取られて前記記憶手段に記憶された前記第２面の画像データの有効範囲を、前記判定の結果、及び、前記読取設定として指定された原稿サイズと前記検知手段の原稿検知に基づいて検出された原稿サイズとの前記搬送方向の差分量に基づき決定する第２決定ステップと、
を有することを特徴とする画像読取装置の制御方法。
【請求項１０】
コンピュータを、請求項１〜８のいずれか１項に記載の制御手段として機能させるためのプログラム。
【発明の詳細な説明】
【技術分野】
【０００１】
本発明は、原稿の両面を同時読み取り可能な画像読取装置の制御に関する。
【背景技術】
【０００２】
従来、複写機やファクシミリ等に備えられる画像読取部やコンピュータ入力用のスキャナ等では、ユーザの介在なしにシート原稿における表裏両面の画像情報を自動的に読み取る画像読取装置（自動両面読取装置）が用いられている。これらの自動両面読取装置においては、原稿搬送パスの表面側／裏面側それぞれにイメージセンサを設け、１回の原稿搬送で原稿の両面を自動的に読み取る装置がある。かかる自動両面読取装置によって読み取られる原稿には、原稿向き（縦長／横長）や原稿の開き方向（上下開き／左右開き）の種類により、原稿の読み取り基準端と画像基準端の位置関係が表面と裏面で異なる場合がある。後述する図８Ｂ、図９Ａ等を参照。
【０００３】
例えば、実際の原稿サイズがユーザにより読取設定で指定された原稿サイズよりも大きい場合、前記位置関係が表裏で異なる場合には、裏面における有効画像の範囲が表面と異り、表面と同様の方法では、所望の画像を取得することができない。
そのため、このような両面原稿の画像を読み取って所望の出力結果を得るためには、表面画像の出力位置や出力範囲に対応した裏面画像の出力を行う等、表面画像と裏面画像との間の関係性を考慮した出力を行うことが必要となる。
【０００４】
特許文献１には、表面と裏面の画像を同時に読み取り、かつ、表面画像と裏面画像との関係性に対応させて、両面それぞれに対してリアルタイムに画像変換処理を施して画像データを生成する技術が提案されている。特許文献１によれば、生産性を低下させることなく所望の態様の出力結果を得ることができる。
【先行技術文献】
【特許文献】
【０００５】
【特許文献１】特開２００５−２６８８９３号公報
【発明の概要】
【発明が解決しようとする課題】
【０００６】
しかし、特許文献１は、自動両面読取装置による原稿表面と裏面の同時読み取りを行いつつ、両面それぞれに対して画像変換処理を施し、読み取り画像データをリアルタイムに出力するものである。このため、特許文献１では、表面、裏面それぞれの画像変換処理を並列に実行可能なプロセッサや読み取り開始前に自動で原稿サイズを検知するための原稿サイズ検知センサなどのハードウェア資源を具備することが必要となる。このように、特許文献１の技術では、上述のようなハードウェア資源を具備する必要があるため、構成が複雑になり、製造コストのアップを回避することが困難であった。
【０００７】
本発明は、上記の問題点を解決するためになされたものである。本発明の目的は、簡単な構成で、表面画像の出力位置や出力範囲に対応した裏面画像の出力が可能となり、所望の出力結果を得ることができる仕組みを提供することである。
【課題を解決するための手段】
【０００８】
本発明は、原稿搬送路に沿って原稿を搬送する搬送手段と、前記原稿搬送路の両側に第１読取手段と第２読取手段を具備し、前記搬送路を搬送される原稿の両面を読取可能な画像読取装置であって、前記第２読取手段により前記原稿から読み取られた画像データを記憶するページバッファとして用いる記憶手段と、前記原稿の読取設定を指定する指定手段と、前記搬送路を搬送される原稿を検知する検知手段と、前記搬送手段により前記原稿を搬送し、前記指定手段で指定された読取設定に基づいて、前記第１読取手段による前記原稿の第１面の読取処理と、前記第２読取手段により前記原稿の第２面を読み取り前記記憶手段に記憶する前記第２面の読取処理とを並列で実行する並列処理を制御する制御手段と、を有し、前記制御手段は、前記読取設定が前記原稿の搬送方向先端と前記原稿の画像上端の位置関係が前記原稿の両面で異なる読取設定か否かを判定し、該判定の結果に基づき前記第２読取手段の読み取り範囲を決定して前記並列処理を実行し、さらに前記並列処理にて前記第２読取手段により前記決定された読み取り範囲で読み取られて前記記憶手段に記憶された前記第２面の画像データの有効範囲を、前記判定の結果、及び、前記読取設定として指定された原稿サイズと前記検知手段の原稿検知に基づいて検出された原稿サイズとの前記搬送方向の差分量に基づき決定する、ことを特徴とする。
【発明の効果】
【０００９】
本発明によれば、簡単な構成で、表面画像の出力位置や出力範囲に対応した裏面画像の出力が可能となり、所望の出力結果を得ることができる。
【図面の簡単な説明】
【００１０】
【図１】本実施例の画像読取装置を適用可能な画像形成装置全体のブロック図
【図２】スキャナ部の構成を例示する断面図
【図３】スキャナＩ／Ｆの概略的な構成を例示するブロック図
【図４】スキャナ画像処理部の概略的な構成を例示するブロック図
【図５】表面、裏面それぞれの画像データフローを例示する図
【図６】本実施例の両面読み取り処理を例示するフローチャート
【図７】裏面入力画像データの有効範囲を説明する図
【図８Ａ】本実施例における両面出力画像を例示する図
【図８Ｂ】本実施例における両面出力画像を例示する図
【図９Ａ】本実施例における両面出力画像を例示する図
【図９Ｂ】本実施例における両面出力画像を例示する図
【図１０Ａ】本実施例における両面出力画像を例示する図
【図１０Ｂ】本実施例における両面出力画像を例示する図
【図１１Ａ】本実施例における両面出力画像を例示する図
【図１１Ｂ】本実施例における両面出力画像を例示する図
【発明を実施するための形態】
【００１１】
以下、本発明を実施するための形態について図面を用いて説明する。
図１は、本発明の一実施例を示す画像読取装置を適用可能な画像形成装置101全体のハードウェア構成を例示するブロック図である。
【００１２】
図１において、制御部102は、画像形成装置101全体の動作を制御する。制御部102において、ＣＰＵ103は、ＲＯＭ104又はＨＤＤ106に記憶された制御プログラムを読み出して、読み取り／印刷／通信などの各種制御を行う。ＲＡＭ105は、ＣＰＵ103の主メモリ、ワークエリア等の一時記憶領域として用いられる。ＨＤＤ（Hard Disk Drive）106は、画像データや各種プログラムを記憶する。なお、ＨＤＤの代わりに又は併用してＳＳＤ（Solid State Drive）等の他の記憶装置を備えていてもよい。
【００１３】
制御部102は、さらに各種インタフェース（Ｉ／Ｆ）とシステムバス118を備える。操作部Ｉ／Ｆ107は、操作部112と制御部102を接続する。操作部112には、不図示の表示パネルやキー（ボタン）などが備えられており、ユーザによる操作／入力／指示を受け付ける受付部としての役割を担う。プリンタＩ／Ｆ108は、プリンタ113と制御部102を接続する。プリンタ113で印刷すべき画像データは、プリンタＩ／Ｆ108を介して制御部102から転送され、プリンタ113により記録材上に印刷される。
【００１４】
スキャナＩ／Ｆ109は、スキャナ114と制御部102を接続する。スキャナ114は、シート状の原稿から画像を読み取って画像データを生成し、スキャナＩ／Ｆ109を介して制御部102に入力する。スキャナ画像処理部116は、スキャナＩ／Ｆ109の処理によりＲＡＭ105に展開された画像データに対して、画像処理モード（カラースキャン、モノクロスキャン等）に応じた画像処理を実行する処理部である。スキャナＩ／Ｆ109およびスキャナ画像処理部106については、後に詳細に説明する。
【００１５】
符号化／復号化部117は、ＪＰＥＧ、ＪＢＩＧといった所定の規格に準拠した画像データの圧縮、伸長処理を実行する処理部である。モデムＩ／Ｆ110は、モデム115と制御部102を接続する。モデム115は、公衆回線に接続され、外部のファクシミリ装置（図示せず）との間のおける画像データのファクシミリ通信を実行する。
【００１６】
ネットワークＩ／Ｆ111は、制御部102（画像形成装置101）を有線ＬＡＮに接続する。画像形成装置101は、ネットワークＩ／Ｆ111を介して外部装置と画像データや各種情報を送受信することができる。例えば、画像形成装置101は、ネットワークＩ／Ｆ111を介して、外部装置から印刷用画像データを受信してプリンタ113で印刷する、スキャナ114で読み取った画像データを外部装置へ送信すること等が可能である。システムバス118は、上述の構造要素間のデータ通路となる。
以上のように、本実施例の画像形成装置101は、原稿搬送路の両側に表面画像読取部（ＣＩＳ204）と裏面画像読取部（ＣＩＳ221）を具備し、該搬送路を搬送される原稿の両面を読取可能な両面画像読取装置として機能する。
【００１７】
次に図２を用いて、上述したスキャナ114の構成を説明する。
図２は、スキャナ114の構成を例示する断面図である。
図２に示すように、スキャナ114は、スキャナ下部201およびスキャナ上部202等で構成される。
【００１８】
スキャナ下部201は、原稿台203およびコンタクトイメージセンサ（ＣＩＳ：Contact Image Sensor）204を備える。原稿台203は、ガラス板等の透明板で構成される。
スキャナ上部202は、原稿トレイ205、排紙トレイ206、および自動原稿搬送器（ＡＤＦ：Automatic Document Feeder）207を備える。
【００１９】
スキャナ上部202の原稿トレイ205、排紙トレイ206、およびＡＤＦ207は、一体に構成される。原稿トレイ205に載置される原稿（シート）208は、ＡＤＦ207に取り込まれて画像を読み取られ、排紙トレイ206に排出される。スキャナ114は、ＡＤＦ207を用いることで、原稿208の片面読み取りおよび両面読み取りを行うことができる。なお、スキャナ上部202は、不図示の開閉機構により、スキャナ下部201に対して開閉自在である。スキャナ上部202の開閉により、スキャナ114は、ＡＤＦ207を用いずに、原稿台203上に載置された原稿の画像を読み取ることができる。
【００２０】
スキャナ下部201のＣＩＳ204は、原稿208の一方の面の画像読み取り部として機能する。本実施例では、ＣＩＳ204で読み取る面（第１面）を「表面」とする。従って、原稿トレイ205に載置される原稿208の上側の面が表面になる。また、表面の反対の面（第２面）を「裏面」とする。
【００２１】
ＣＩＳ204は、照射部として一対のＬＥＤ（Light Emitting Diode）光源209、210、光電変換部211、およびレンズ212を備える。ＬＥＤ光源209、210から照射された光は、ＡＤＦ207で取り込まれた原稿208の表面または原稿台203上に載置された原稿の表面で反射され、その反射光がレンズ212を介して光電変換部211に入力される。光電変換部211は、入力された反射光を電気信号に変換することで画像データを生成する。
【００２２】
ＬＥＤ光源209は、主走査方向（図２の奥行き方向）に沿って配列される複数のＬＥＤ素子および導光体を有している。ＬＥＤ光源210も同様に、主走査方向に沿って配列される複数のＬＥＤ素子および導光体を有している。ＬＥＤ光源209、210は、各ＬＥＤ素子から出射された光により導光体を介して原稿の表面を照射する。
【００２３】
光電変換部211は、主走査方向に配列される複数の光電素子を備えている。このような構成のＣＩＳ204は、原稿台203の下方において副走査方向（図２の左右方向）に移動可能に設けられる。原稿台203に原稿が載置される場合には、ＣＩＳ204が副走査方向に移動して、当該原稿の画像を読み取る。また、ＡＤＦ207で原稿208を取り込む場合には、ＣＩＳ204は停止した状態で、ＡＤＦ207により搬送されている原稿の画像を読み取る。
【００２４】
スキャナ上部202のＡＤＦ207は、原稿搬送ユニットとして機能する。ＡＤＦ207は、原稿トレイ205上に載置される原稿を１枚ずつ排紙トレイ206まで搬送する。そのためにＡＤＦ207は、搬送路に沿って、ピックアップローラ213、分離部214、第１レジストローラ215、第２レジストローラ216、第１搬送ローラ217、第２搬送ローラ218、および排紙ローラ219を備える。この他にＡＤＦ207は、搬送される原稿の先端および後端を検知するための原稿検知センサ220、およびＣＩＳ221を備える。
【００２５】
スキャナ上部202のＣＩＳ221は、原稿208の他方の面である裏面の画像読取部として機能する。ＣＩＳ221は、照射部としての一対のＬＥＤ光源222、223、光電変換部224、およびレンズ225を備える。ＬＥＤ光源222、223から照射された光は、ＡＤＦ207で取り込まれた原稿の裏面に反射され、その反射光がレンズ225を介して光電変換部224に入力される。
【００２６】
光電変換部224は、入力された反射光を電気信号に変換することで画像データを生成する。ＬＥＤ光源222は、主走査方向に沿って配列される複数のＬＥＤ素子および導光体を有している。ＬＥＤ光源223も同様に、主走査方向に沿って配列される複数のＬＥＤ素子および導光体を有している。ＬＥＤ光源222、223は、各ＬＥＤ素子から出射された光により導光体を介して原稿の裏面を照射する。光電変換部224は、主走査方向に配列される複数の光電素子を備えている。
【００２７】
ＡＤＦ207は、ピックアップローラ213により原稿トレイ205上に載置される原稿208を取り込む。分離部214は、図中の上方に分離ローラおよび下方に分離パッドを備えた構成であり、ピックアップローラ213で取り込んだ原稿を１枚ずつ分離する。ＡＤＦ207は、ピックアップローラ213および分離部214により、原稿を１枚ずつ連続して取り込み可能である。第１レジストローラ215は、取り込んだ原稿の斜行補正を行う。斜行補正された原稿は、第２レジストローラ216および第１搬送ローラ217により、ＣＩＳ204およびＣＩＳ221による画像読取位置まで搬送される。
【００２８】
原稿208の表面のみを読み取る場合、ＣＩＳ204により表面画像が読み取られる。また、原稿208の表裏両面を読み取る場合、ＣＩＳ204により表面画像が、ＣＩＳ221により裏面画像がそれぞれ読み取られる。ＣＩＳ204およびＣＩＳ221により画像が読み取られた原稿は、第２搬送ローラ218および排紙ローラ219により、排紙トレイ206に排出される。
【００２９】
なお、ＡＤＦ207を用いて原稿の搬送および読み取りを行う過程で、原稿検知センサ220が原稿の先端および後端を検知したタイミングで出力される信号（図示せず）を基にして、ＣＰＵ103により原稿副走査長の算出が行われる。
【００３０】
以上の構成により、画像形成装置101は、スキャナ114を用いて、原稿台203上に載置された原稿の画像の読み取り、又は、ＡＤＦ207で取り込まれた原稿208の画像のみの読み取りの何れかの方法で原稿画像の読み取る。なお、ＡＤＦ207で取り込まれた原稿208の画像のみの読み取りを行う場合、原稿208の表面の画像のみの読み取り、又は、原稿208の表面／裏面（両面）の画像の同時読み取りが可能となっている。このように、本実施例の画像形成装置101は、原稿表面／裏面の両面同時読み取りが可能な画像読取装置を有する。以下、このような画像読取装置を用い、例えば画像処理プロセッサやメモリ等のハードウェア資源に制限がある場合でも、原稿表面と裏面との間の画像向き関係を考慮して所望の読み取り範囲の画像出力を行うことが可能な構成について説明する。
【００３１】
図３は、スキャナＩ／Ｆ109の概略的な構成を例示するブロック図である。
図３に示すように、スキャナＩ／Ｆ109は、原稿表面画像の読み取りに使用する表面画像データ入力ブロック301と、原稿裏面画像の読み取りに使用する裏面画像データ入力ブロック302とを有する。本実施例の画像形成装置101では、ＣＩＳ204により読み取った画像データが表面画像データ入力ブロックへ入力301され、ＣＩＳ221により読み取った画像データが裏面画像データ入力ブロック302へ入力される。
【００３２】
まず、表面画像データ入力ブロック301について説明する。
タイミング制御部１（303）は、ＣＩＳ204に対して、読み取りスピードに応じた読み取りデバイスの制御信号を生成し出力する。このデバイス制御信号は、スキャナＩ／Ｆ109内で生成される同期信号に同期するものであり、これにより主走査方向の読み取りタイミングと、読み取り処理の同調を図ることができる。
【００３３】
ＬＥＤ点灯制御部１（304）は、ＣＩＳ204の光源となるＬＥＤ209およびＬＥＤ210の点灯を制御するユニットである。ＬＥＤ点灯制御部１（304）は、Ｒ、Ｇ、Ｂの各色要素に対応したＬＥＤの順次点灯制御のための同期信号、クロック信号およびＣＩＳ204に対応した調光の制御、点灯の開始、消灯の制御を実行する。この制御タイミングは、上述のタイミング制御部１（303）から受信する同期信号に基づくものであり、ＣＩＳ204の駆動と同期したＬＥＤ209およびＬＥＤ210の点灯が制御される。
【００３４】
ＣＩＳ204の出力信号は、ＡＦＥ１（305）に入力される。なお、ＡＦＥは、Analog Front Endを示す。ＡＦＥ１（305）の処理は、ＣＩＳ204の出力信号に対して、ゲイン調整、Ａ／Ｄ変換処理を施し、ＣＩＳ204より出力されるアナログ信号をデジタル信号に変換して、表面画像データ入力ブロック301に入力する。
【００３５】
同期制御部１（306）は、ＡＦＥ１（305）に対して、ＣＩＳ204のアナログ信号に応じた所定の閾値レベルを設定し、画像読み取りデバイスの相違による出力信号レベルの調整を行う。さらに、同期制御部１（306）は、アナログ信号のサンプリング制御とデジタル信号をＡＦＥ１（305）に出力させるための同期クロックを生成して出力し、ＡＦＥ１（305）から所定のデジタル信号による読み取り画像データを受信する。このデータは、同期制御部１（306）を介して出力データ制御部１（307）に入力される。
【００３６】
出力データ制御部１（307）は、表面画像データ入力ブロック301の出力モードに合わせてＡＦＥ１（305）より受信した画像データをバッファ308（バッファＡ−１、バッファＢ−１、バッファＣ−１）に格納する。バッファ308に格納された画像データは、ＲＡＭ105に転送される。
【００３７】
次に、裏面画像データ入力ブロック302について説明する。
裏面画像データ入力ブロック302は、上述の表面画像データ入力ブロック301と同様の構成となっている。タイミング制御部２（310）は、ＣＩＳ221に対して、読み取りスピードに応じた読み取りデバイスの制御信号を生成し出力する。このデバイス制御信号は、スキャナＩ／Ｆ109内で生成される同期信号に同期するものであり、これにより主走査方向の読み取りタイミングと、読み取り処理の同調を図ることができる。
【００３８】
ＬＥＤ点灯制御部２（310）は、ＣＩＳ221の光源となるＬＥＤ222およびＬＥＤ223の点灯を制御するユニットである。ＬＥＤ点灯制御部２（310）は、Ｒ、Ｇ、Ｂの各色要素に対応したＬＥＤの順次点灯制御のための同期信号、クロック信号およびＣＩＳ221に対応した調光の制御、点灯の開始、消灯の制御を実行する。この制御タイミングは、上述のタイミング制御部から受信する同期信号に基づくものであり、ＣＩＳ221の駆動と同期したＬＥＤ222およびＬＥＤ223の点灯が制御される。
【００３９】
ＣＩＳ221の出力信号は、ＡＦＥ２（311）に入力される。ＡＦＥ２（311）の処理は、ＣＩＳ221の出力信号に対して、ゲイン調整、Ａ／Ｄ変換処理を施し、ＣＩＳ221より出力されるアナログ信号をデジタル信号に変換して、裏面画像データ入力ブロック302に入力する。
【００４０】
同期制御部２（312）は、ＡＦＥ２（311）に対して、ＣＩＳ221のアナログ信号に応じた所定の閾値レベルを設定し、画像読み取りデバイスの相違による出力信号レベルの調整を行う。さらに、同期制御部２（312）は、アナログ信号のサンプリング制御とデジタル信号をＡＦＥ２（311）に出力させるための同期クロックを生成して出力し、ＡＦＥ２（311）から所定のデジタル信号による読み取り画像データを受信する。このデータは、同期制御部２（312）を介して出力データ制御部２（313）に入力される。
【００４１】
出力データ制御部２（313）は、裏面画像データ入力ブロック302の出力モードに合わせてＡＦＥ２（311）より受信した画像データをバッファ314（バッファＡ−２、バッファＢ−２、バッファＣ−２）に格納する。バッファ314に格納された画像データは、ＲＡＭ105に転送される。
【００４２】
次に、図４を用いてスキャナ画像処理部116の概略的な構成を説明する。
図４は、スキャナ画像処理部116の概略的な構成を例示する図である。
スキャナ画像処理部116は、スキャナＩ／Ｆ109の処理によりＲＡＭ105に展開された画像データに対して、画像処理モード（カラースキャン、モノクロスキャン等）に応じた画像処理を実行する処理部である。スキャナ画像処理部116は、スキャナ画像処理バッファ408にロードされたデータに対して、各画像処理モードに応じた処理を実行する。
【００４３】
スキャナ画像処理バッファ408へは、スキャナＩ／Ｆ109の表面画像データ入力ブロック301もしくは裏面画像データ入力ブロック302の出力データとしてＲＡＭ105に転送された画像データが所定のデータサイズ毎に順次ロードされる。また、各原稿面の画像データに係る画像処理は、ページ単位で排他実行されるものとする。
【００４４】
図４において、シェーディング補正ブロック402は、主走査方向の光源（ＬＥＤ209、210、222、223）の光量分布のばらつきや、画像読み取りデバイスの受光素子のばらつき、暗出力のオフセットを補正する処理ブロックである。
【００４５】
入力データ処理部401は、Ｒ、Ｇ、Ｂに分離した面順次のデータを点順次のデータに再構成する処理部である。１画素のデータは、ＲＡＭ105に面順次のデータとしてＲ、Ｇ、Ｂの色毎に格納されている。これらのデータがスキャナ画像処理バッファ408にローディングされると、入力データ処理部401は、各色データ毎に１画素データを取り出し、１画素のＲ、Ｇ、Ｂデータとして再構成する。入力データ処理部401は、この再構成の処理を、画素毎に行い、面順次の画像データを点順次のデータに変換する。
【００４６】
処理ブロック403は、平均化処理部、入力マスキング処理部、γ補正処理部を有する。平均化処理部は、主走査方向の読み取り解像度を落とすためのサブサンプリング（単純間引き）、あるいは平均化処理を行う処理ブロックである。入力マスキング処理部は、入力されたＲ、Ｇ、Ｂデータの色補正を演算する処理ブロックである。γ補正処理部は、入力されたデータに対して、所定の階調特性を与える処理ブロックである。
【００４７】
文字判定処理ブロック404は、入力画像データに対して、黒文字判別、線画輪郭の画素判別を行う処理ブロックである。
【００４８】
処理ブロック405は、ＭＴＦ補正処理部、ＲＧＢ→3f（Ｌ、Ｃａ、Ｃｂ）変換処理部、下地濃度調整処理部を有する。ＭＴＦ補正処理部は、画像読み取りデバイスを変更した際の、ＭＴＦ差補正、縮小変倍時のモアレ低減のために主走査方向にフィルタ処理を行う処理部であり、注目領域に対して主走査方向の所定画素について各係数を乗加算処理するブロックである。ＲＧＢ→（Ｌ、Ｃａ、Ｃｂ）変換処理部は、後続のフィルタ処理ブロック406で行うフィルタリング（明度強調、彩度強調、色判定）に際し、Ｒ、Ｇ、Ｂ各色の多値画像データの変換処理を行う。下地濃度調整処理部は、原稿の下地濃度を自動認識し、下地濃度値を白側に補正することによりファクシミリ通信等に適した二値化データを得るための処理を実行する。
【００４９】
フィルタ処理ブロック406は、処理ブロック405のＲＧＢ→（Ｌ、Ｃａ、Ｃｂ）変換処理部で得られたデータに対して色判定とフィルタリングを行うための処理として、画像の明度成分（Ｌ）のエッジ強度処理および彩度（Ｃａ、Ｃｂ）の強調処理を行う。さらに、フィルタ処理ブロック406は、入力画像の彩色判定を行い、その結果を出力する。また、フィルタ処理ブロック406は、文字判定処理ブロック404で生成された文字、線画輪郭部の判定信号等に基づき、強調量のパラメータを変化させることができる。フィルタ処理後のデータは、Ｌ、Ｃａ、ＣｂからＲ、Ｇ、Ｂデータに変換されて出力される。このフィルタ処理ブロック406は、モノクロ画像データを処理する場合は、エッジ強調フィルタとして機能する。
【００５０】
変倍処理ブロック407は、主走査、副走査方向の線形補間変倍処理を施す処理ブロックである。
以上の画像処理が、設定された画像処理モード（コピーモード、スキャナモード等）に応じて、スキャナ画像処理バッファ408にローディングされたデータに対して順次実行される。
【００５１】
以上説明した通り、スキャナ113は、ＣＩＳ204、ＣＩＳ221、スキャナＩ／Ｆ109の表面画像データ入力ブロック301、裏面画像データ入力ブロック302を用いて、原稿の表面／裏面の画像データを同時に制御部102へ入力できる。一方、スキャナ画像処理部116は、表面、裏面の画像データをページ単位で順次処理する。
【００５２】
図５は、表面、裏面それぞれの画像データフローを例示する図である。
図５に示すように、本実施例の画像形成装置101は、表面画像データ入力ブロック301および裏面画像データ入力ブロック302による表面、裏面の画像データの入力と、スキャナ画像処理部116による表面の画像処理を並列で実行する。すなわち、原稿の表面については、ＣＩＳ204により原稿の表面を読み取りつつ該読み取られた画像データをスキャナ画像処理部116により逐次画像処理する。該表面の画像処理終了後、画像形成装置101は、直ちにスキャナ画像処理部116により裏面の画像処理を実行する。
【００５３】
なお、表面画像データ入力ブロック301とスキャナ画像処理部116との間においては、表面用リングバッファ501を用いて画像データの受け渡しが行われ、表面画像データの入力と該画像データの画像処理が並列で実行される。表面用リングバッファ501は、ＲＡＭ105上に確保した所定サイズのリングバッファである。
【００５４】
一方、裏面画像データ入力ブロック302から入力される裏面画像データは、裏面用ページバッファ502（ＲＡＭ105上に確保したページバッファ）に一旦蓄積される。そして、表面の処理および裏面画像データの入力の完了後、該裏面用ページバッファ502に蓄積された裏面画像データに対する画像処理が実行される。
【００５５】
次に、図６〜図１１を用いて、本実施例の画像形成装置101で原稿の両面読み取りを行う際の処理制御について説明する。
図６は、本実施例の画像形成装置で原稿の両面読み取りを行う際の処理（両面読み取り制御処理）を例示するフローチャートである。なお、同図の記述では、各ステップを「S」を付して表す。また、このフローチャートに示す処理は、ＣＰＵ103がＲＯＭ103又はＨＤＤ106に格納されたプログラムを必要に応じてＲＡＭ105に読み出して実行することにより実現されるものである。
【００５６】
図７は、図６の処理を実行した際に裏面用ページバッファ502に一時蓄積される裏面入力画像データと該画像データのうちスキャナ画像処理部116へ入力される画像範囲（有効画像範囲）を例示する図である。
【００５７】
図８〜図１１は、図６の処理を実行した際に出力される出力画像の一例を示す図である。図８、図９は、実際の原稿サイズが「ＬＧＬサイズ」の原稿に対して、スキャンモード設定（読取設定）で原稿サイズ（指定原稿サイズ）として「ＬＴＲサイズ」を指定して両面読み取りを実行した際の出力画像の一例を表している。また、図１０、図１１は、実際の原稿サイズが「ＬＴＲサイズ」の原稿に対して、指定原稿サイズとして「ＬＴＲサイズ」を指定して両面読み取りを実行した際の出力画像の一例を表している。
【００５８】
なお、図８、図９に示す例は、「指定原稿サイズ」が「実際の原稿サイズ」よりも小さい例のため、最終的な出力画像に含めない画像範囲（無効画像）が実際の原稿に含まれることになる。本実施例の画像形成装置101は、画像読取処理のいずれかの工程で、前記無効画像の出力又は入力を省略し、最終的な出力画像を生成している。図８、図９では、このように省略した無効画像を「斜線領域」で示している。例えば、図８Ａの原稿表面の「スキャナＩ／Ｆ部出力画像」における下部の「斜線領域」は、スキャナ113により読み取りが行われずスキャナＩ／Ｆ109から出力されなかった画像を示している。また、図８Ｂの原稿裏面の「スキャナ画像処理部入力画像」における下部の「斜線領域」は、裏面用ページバッファ502から読み飛ばされてスキャナ画像処理部116に入力されなかった画像を示している。
【００５９】
図６に示す処理は、例えば、ユーザがＡＤＦ207に原稿を載置する、又は、ユーザが操作部112を介して原稿読み取り機能の使用を指示することで、ＣＰＵ103により開始、実行される。
【００６０】
まずS601において、ＣＰＵ103は、操作部112を介してユーザからスキャンモード設定（読取設定）の入力（指定）を受け付ける。ここでは、カラーモード（カラー／モノクロ）、両面モード（ＯＮ／ＯＦＦ）、原稿向き（縦長／横長）、開き方向（上下開き／左右開き）、原稿サイズなどの読取設定の指定を受け付ける。なお、以下、原稿向き：「縦長」は縦長原稿（ポートレート原稿）、原稿向き：「横長」は横長原稿（ランドスケープ原稿）を示す。また、開き方向：「上下開き」は、原稿の上端（又は下端）を軸に裏返した場合に原稿の両面で画像の天地が同一となるように両面印刷等されている原稿を示す（上下開き原稿）。開き方向：「左右開き」は、原稿の左端（又は右端）を軸に裏返した場合に原稿の両面で画像の天地が同一となるように両面印刷等されている原稿を示す（左右開き原稿）。
【００６１】
例えば、図８Ａ及び図１０Ａの例では、原稿向き：「縦長」、開き方向：「左右開き」、原稿サイズ：「ＬＴＲ」が指定される。また、図８Ｂ及び図１０Ｂの例では、原稿向き：「縦長」、開き方向：「上下開き」、原稿サイズ：「ＬＴＲ」が指定される。また、図９Ａ及び図１１Ａの例では、原稿向き：「横長」、開き方向：「左右開き」、原稿サイズ：「ＬＴＲ」が指定される。また、図９Ｂ及び図１１Ｂの例では、原稿向き：「横長」、開き方向：「上下開き」、原稿サイズ：「ＬＴＲ」が指定される。
【００６２】
また、S602において、ＣＰＵ103は、ユーザからのスキャン開始指示を受け付ける。ユーザがスキャナ114のＡＤＦ207に原稿を載置し、操作部112を介してスキャン開始を指示すると、ＣＰＵ103は、この指示を検知し、S603に処理を進める。
【００６３】
S603において、ＣＰＵ103は、前記S601で受け付けた原稿サイズ（指定原稿サイズ）を表面画像サイズとして設定する。
【００６４】
次に、S604において、ＣＰＵ103は、スキャナＩ／Ｆ109の表面画像データ入力ブロック301に対して前記S603で設定した表面画像サイズの読み取り画像データの入力を行うためのパラメータ設定を行う。また、S605において、ＣＰＵ103は、スキャナ画像処理部116に対して該表面画像サイズの読み取り画像データの画像処理を行うためのパラメータ設定を行う。
【００６５】
また、S606において、ＣＰＵ103は、裏面画像サイズに対して前記S601で受け付けた原稿サイズ（指定原稿サイズ）を設定する。また、S607において、ＣＰＵ103は、裏面画先調整モードを「ＯＦＦ」に設定する。なお、裏面画先調整モードは、後述する読み飛ばしを行うか否かを設定するためのものであり、「ＯＦＦ」の場合は読み飛ばしを行わず、「ＯＮ」の場合には読み飛ばしを行うものとする。
【００６６】
その後、S608〜S610において、ＣＰＵ103は、前記S601で受け付けた原稿向きおよび開き方向の設定内容（読取設定）を判定する。
【００６７】
まず、原稿向き：「縦長」かつ開き方向：「上下開き」（後述する図８Ｂ、図１０Ｂに対応）と判定した場合（S608でYES且つS609でYESの場合）、ＣＰＵ103は、S611に処理を進める。また、原稿向き：「横長」かつ開き方向：「左右開き」（後述する図９Ａ、図１１Ａに対応）と判定した場合（S608でNO且つS610でYESの場合）にも、ＣＰＵ103は、S611に処理を進める。
【００６８】
上述のように、原稿向き：「縦長」かつ開き方向：「上下開き」又は原稿向き：「横長」かつ開き方向：「左右開き」の場合、原稿の読み取り基準端（原稿搬送方向先端）と画像基準端（原稿上の画像上端）の位置関係が表面と裏面で異なる（図８Ｂ、図９Ａ等）。このため、このような場合には、図７（ａ）のように、原稿の裏面全体を読み取って裏面用ページバッファ502に保存させておく。そして、図７（ｂ）のように、裏面用ページバッファ502から読み取る際に、不要な部分（無効範囲）を読み飛ばして必要な部分（有効範囲）のみスキャナ画像処理部116に入力するようにする。このための準備をS611、S612にて行う。
【００６９】
S611において、ＣＰＵ103は、前記S606で設定した裏面画像サイズの設定を画像形成装置101が読み取り可能な最大原稿サイズに更新し、S612に処理を進める。本実施例の画像形成装置101においては読取可能な最大原稿サイズを「ＬＧＬ（ＬＥＧＡＬ）」サイズとする。これにより、実際の原稿サイズが指定原稿サイズよりも大きい場合にも、原稿の裏面全体を読み取って裏面用ページバッファ502に保存させることが可能となる。また、S612において、ＣＰＵ103は、裏面画先調整モードを「ＯＮ」に設定し、S613に処理を進める。これにより、図７（ｂ）のように、裏面用ページバッファ502から読み取る際に、不要な部分を読み飛ばして必要な部分のみスキャナ画像処理部116に入力するためのモードに設定される。
【００７０】
また、前記S608〜S610において、原稿向き：「縦長」かつ開き方向：「左右開き」（後述する図８Ａ、図１０Ａに対応）と判定した場合（S608でYES且つS609でNOの場合）、ＣＰＵ103は、S613に処理を進める。また、前記S608〜S610において、原稿向き：「横長」かつ開き方向：「上下開き」（後述する図９Ｂ、図１１Ｂに対応）と判定した場合（S608でNO且つS610でNOの場合）にも、ＣＰＵ103は、S613に処理を進める。
【００７１】
上述のように、原稿向き：「縦長」かつ開き方向：「左右開き」、又は、原稿向き：「横長」かつ開き方向：「上下開き」の場合、図８Ａ、図９Ｂ等に示すように、原稿の読み取り基準端と画像基準端の位置関係が表面と裏面で同じになる。このため、裏面も表面と同様の処理を行うことが可能となるため、S611、S612のような処理は必要ない。このためS611、S612をスキップして、S613に処理を進める。
【００７２】
次に、S613において、ＣＰＵ103は、前記S606およびS611で設定した裏面画像サイズの画像データ量に相当するメモリサイズの裏面用ページバッファ502をＲＡＭ105から獲得する。
次に、S614において、ＣＰＵ103は、スキャナＩ／Ｆ109の裏面画像データ入力ブロック302に対して前記S606およびS611で設定した裏面画像サイズの画像データの入力を行うためのパラメータ設定を行う。
【００７３】
すなわち、図８Ａ、図９Ｂ等に対応する原稿を読み取る場合には、指定原稿サイズ（ここではＬＴＲ）の画像データ量に相当するメモリサイズの裏面用ページバッファ502が獲得され、同サイズのデータ入力を行う設定がなされる。また、図８Ｂ、図９Ａ等に対応する原稿を読み取る場合には、実際の原稿サイズ（ここではＬＧＬ）の画像データ量に相当するメモリサイズの裏面用ページバッファ502が獲得され、同サイズのデータ入力を行う設定がなされる。このように、前記S608〜S614では、読取設定を判定することで、原稿の搬送方向先端と原稿上の画像上端の位置関係が原稿の両面で異なる読取設定か否かを判定している。さらに、該判定結果に基づき、裏面画像読取部（ＣＩＳ221）の読み取り範囲を決定する制御が行われている。
【００７４】
その後、S615において、ＣＰＵ103は、スキャナ画像処理部116による表面画像データの画像処理を開始させる。また、S616において、ＣＰＵ103は、スキャナＩ／Ｆ109による表面／裏面それぞれの画像データ入力処理を開始させる。これにより、原稿トレイ205に積載された原稿の搬送が開始される。
【００７５】
前記S615およびS616の処理の後、ＣＰＵ103は、S617〜S621で示す表面画像データの入力処理／画像処理と、S622〜S626で示す裏面画像データの入力処理を並列で実行する。
【００７６】
＜表面画像データの入力処理／画像処理（S617〜S621）＞
まず、表面画像データの入力処理／画像処理（S617〜S621）について説明する。
S617において、ＣＰＵ103は、スキャナＩ／Ｆ109の表面画像データ入力ブロック301への表面画像データの入力が完了したか否かを判定する。本実施例の画像形成装置101においては、前記S603で設定した表面画像サイズ分の画像データの入力が完了した場合、表面画像データの入力完了と判定する。
【００７７】
前記S617において、表面画像データの入力が完了したと判定した場合（S617でYESの場合）、ＣＰＵ103は、S619に処理を進める。S619において、ＣＰＵ103は、スキャナＩ／Ｆ109の表面画像データ入力ブロック301の処理を停止し、S620に処理を進める。
【００７８】
一方、未だ表面画像データの入力が完了していなと判定した場合（S617でNOの場合）、ＣＰＵ103は、S618に処理を進める。
S618において、ＣＰＵ103は、スキャナ114のＡＤＦ207により当該原稿の用紙後端が検出されたか否かを判定する。当該原稿の用紙後端が検出されていないと判定した場合（S618でNOの場合）、ＣＰＵ103は、S617に処理を戻す。一方、当該原稿の用紙後端が検出されたと判定した場合（S618でYESの場合）、ＣＰＵ103は、S619において、スキャナＩ／Ｆ109の表面画像データ入力ブロック301の処理を停止し、S620に処理を進める。
【００７９】
次に、S620において、ＣＰＵ103は、スキャナ画像処理部116により表面画像データに対する画像処理が完了したか否かを判定する。本実施例の画像形成装置101においては、スキャナＩ／Ｆ109の表面画像データ入力ブロック301へ入力された画像サイズと同等の画像データに対する画像処理が完了した場合に表面画像処理の完了と判定する。
【００８０】
前記S620において、未だスキャナ画像処理部116により表面画像データに対する画像処理が完了していないと判定した場合（S620でNOの場合）、ＣＰＵ103は、S620にて表面画像処理の完了を待つ。一方、スキャナ画像処理部116により表面画像データに対する画像処理が完了したと判定した場合（S620でYESの場合）、ＣＰＵ103は、S621に処理を進める。
S621において、ＣＰＵ103は、スキャナ画像処理部116の処理を停止し、表面画像データの入力処理／画像処理（S617〜S621）を終了する。
【００８１】
以上のように、表面画像データの入力処理では、前記S603で設定された原稿サイズ（すなわちS601で受け付けた指定原稿サイズ）を上限として表面画像データを読み取ることができる。また、表面画像データの画像処理では、前記S604で設定された原稿サイズ（すなわちS601で受け付けた指定原稿サイズ）を上限として表面画像データのスキャナ画像処理部116による画像処理を実行することができる。例えば、図８Ａに示すように、ＬＧＬサイズの原稿の表面からＬＴＲサイズの画像が読み取られて画像処理されて出力される。
【００８２】
＜裏面画像データの入力処理（S622〜S626）＞
次に、裏面画像データの入力処理（S622〜S626）について説明する。
S622において、ＣＰＵ103は、裏面画先調整モードが「ＯＮ」か否かを判定する。ここで、裏面画先調整モードが「ＯＮ」であると判定した場合（S622でYESの場合）、ＣＰＵ103は、S623に処理を進める。
【００８３】
S623において、ＣＰＵ103は、スキャナ114のＡＤＦ207により当該原稿の用紙後端が検出されたか否かを判定する。未だ当該原稿の用紙後端が検出されていないと判定した場合（S623でNOの場合）、ＣＰＵ103は、S623にて原稿の用紙後端が検出されるまで待つ。一方、当該原稿の用紙後端が検出されたと判定した場合（S623でYESの場合）、ＣＰＵ103は、S626に処理を進める。S626において、ＣＰＵ103は、スキャナＩ／Ｆ109の裏面画像データ入力ブロック302の処理を停止する。
【００８４】
また、前記S622において、裏面画先調整モードが「ＯＮ」でないと判定した場合（S622でNOの場合）、ＣＰＵ103は、S624に処理を進める。
S624において、ＣＰＵ103は、裏面画像データの入力が完了したか否かを判定する。本実施例の画像形成装置101においては、前記S606およびS611で設定した裏面画像サイズ分の画像データの入力が完了した場合、裏面画像データの入力完了と判定する。
【００８５】
裏面画像データの入力が完了したと判定した場合（S624でYESの場合）、ＣＰＵ103は、S626において、スキャナＩ／Ｆ109の裏面画像データ入力ブロック302の処理を停止する。
【００８６】
一方、未だ裏面画像データの入力が完了していないと判定した場合（S624でNOの場合）、ＣＰＵ103は、S625に処理を進める。
S625において、ＣＰＵ103は、スキャナ114のＡＤＦ207により当該原稿の用紙後端が検出されたか否かを判定する。未だ当該原稿の用紙後端が検出されていないと判定した場合（S625でNOの場合）、ＣＰＵ103は、S624に処理を戻す。
【００８７】
一方、当該原稿の用紙後端が検出されたと判定した場合（S625でYESの場合）、ＣＰＵ103は、S626において、スキャナＩ／Ｆ109の裏面画像データ入力ブロック302の処理を停止する。
【００８８】
S626の後、ＣＰＵ103は、裏面画像データの入力処理（S622〜S626）を終了する。
以上のように、裏面画先調整モードが「ＯＮ」の場合、実際の原稿サイズの裏面画像データを読み取ることができる。例えば、図８Ｂ、図９Ａに示すように、ＬＧＬサイズの原稿の裏面からＬＧＬサイズの画像が読み取られて裏面用ページバッファ502に格納される。また、裏面画先調整モードが「ＯＦＦ」の場合、裏面画像データの入力処理では、前記S606で設定された原稿サイズ（すなわちS602で受け付けた指定原稿サイズ）を上限として裏面画像データを読み取ることができる。例えば、図８Ａ、図９Ｂに示すように、ＬＧＬサイズの原稿の裏面からＬＴＲサイズの画像が読み取られて裏面用ページバッファ502に格納される。
【００８９】
上述したS617〜S621で示す表面画像データの入力処理／画像処理と、S622〜S626で示す裏面画像データの入力処理のいずれの処理も完了した後（すなわち前記並列処理の後）、ＣＰＵ103は、S627に処理を進める。
【００９０】
S627において、ＣＰＵ103は、原稿副走査長の値を取得する。具体的には、ＣＰＵ103は、上述した表面／裏面の画像データの入力処理にて、ＡＤＦ207により原稿208を搬送した際に原稿検知センサ220が原稿208の先端および後端を検知したタイミングの差を基にして原稿副走査長を算出（検出）する。
【００９１】
その後、S628〜S633において、ＣＰＵ103は、裏面読み飛ばし量を算出する。ここで、裏面読み飛ばし量は、裏面用ページバッファ502に一時蓄積した裏面画像データを読み飛ばすライン数を表す。以下、詳細に説明する。
【００９２】
S628において、ＣＰＵ103は、前記S627で取得した原稿副走査長（実際の原稿サイズ）が前記S601で受け付けた原稿サイズ（指定原稿サイズ）を超えるか否かを判定する。ここで、前記S627で取得した原稿副走査長が前記S601で受け付けた原稿サイズを超えない（例えば図１０、図１１の例に対応）と判定した場合（S628でNOの場合）、ＣＰＵ103は、S632に処理を進める。
S632において、ＣＰＵ103は、裏面画像サイズを前記S627で取得した原稿副走査長に相当する原稿サイズで更新する。次に、S633において、ＣＰＵ103は、裏面読み飛ばし量を「０」に設定し、S634に処理を進める。「指定原稿サイズ」≧「実際の原稿サイズ」の場合、実際の原稿全体が最終的な出力画像に含まれるため、読み飛ばしは必要ない。
【００９３】
また、前記S628において、前記S627で取得した原稿副走査長が前記S601で受け付けた原稿サイズを超える（例えば図８、図９の例に対応）と判定した場合（S628でYESの場合）、ＣＰＵ103は、S629に処理を進める。
S629において、ＣＰＵ103は、前記S606およびS611で設定した裏面画像サイズを前記S601で受け付けた原稿サイズ（指定原稿サイズ）で更新する。
【００９４】
次に、S630において、ＣＰＵ103は、裏面画先調整モードが「ＯＮ」か否かを判定する。ここで、裏面画先調整モードが「ＯＮ」でないと判定した場合（S630でNOの場合）、ＣＰＵ103は、S633に処理を進める。S633では、ＣＰＵ103は、裏面読み飛ばし量を「０」に設定し、S634に処理を進める。「指定原稿サイズ」＜「実際の原稿サイズ」且つ「裏面画先調整モード＝ＯＦＦ」の場合、図８Ａ、図９Ｂのように、スキャナＩ／Ｆ109からの出力画像において既に無効画像が除かれているため、読み飛ばしは必要ない。
【００９５】
一方、裏面画先調整モードが「ＯＮ」であると判定した場合（S630でYESの場合）、ＣＰＵ103は、S631に処理を進める。
S631において、ＣＰＵ103は、前記S627で取得した原稿副走査長と前記S601で受け付けた原稿サイズとの差から裏面読み飛ばし量を算出し、該算出した裏面読み飛ばし量を設定し（図７（ｂ）参照）、S634に処理を進める。「指定原稿サイズ」＜「実際の原稿サイズ」且つ「裏面画先調整モード＝ＯＮ」の場合、図８Ｂ、図９Ａのように、スキャナＩ／Ｆ109からの出力画像には無効画像が含まれており、読み飛ばしにより除き、有効画像を取得する必要がある。
【００９６】
このように、原稿の搬送方向先端と原稿の画像上端の位置関係が原稿の両面で異なる読取設定か否かの判定結果、及び、指定原稿サイズと検知原稿サイズとの原稿搬送方向の差分量に基づき、裏面読み飛ばし量を決定する。そして、該裏面読み飛ばし量（無効範囲）を除く範囲として裏面画像データの有効範囲を決定する制御が行われている。
【００９７】
次に、S634において、ＣＰＵ103は、スキャナ画像処理部116に対する裏面画像データの画像処理を行うためのパラメータ設定を行う。ここでは、裏面画像サイズとして前記S629またはS632で再設定された画像サイズを設定する。
【００９８】
次に、S635において、ＣＰＵ103は、前記S631またはS633で設定した裏面読み飛ばし量を基に、裏面用ページバッファ502の読み飛ばしオフセットを設定する。具体的には、ＣＰＵ103は、裏面読み飛ばし量（ライン数）と１ラインあたりの画像サイズ（メモリサイズ）との乗算で求められるオフセットサイズを裏面用ページバッファ502の先頭アドレスに加算したアドレスを求める。さらに、ＣＰＵ103は、該求めたアドレスから裏面画像データの読み出しが行われるように、スキャナ画像処理部116の画像データ入力設定を行う。
【００９９】
次に、S636において、ＣＰＵ103は、スキャナ画像処理部116による裏面の画像処理を開始する。
次に、S637において、ＣＰＵ103は、スキャナ画像処理部116による裏面の画像処理が完了したか否かを判定する。ここで、未だ裏面画像処理が完了していないと判定した場合（S637でNOの場合）、ＣＰＵ103は、S637にて裏面画像処理の完了を待つ。
【０１００】
一方、裏面画像処理が完了したと判定した場合（S637でYESの場合）、ＣＰＵ103は、S638に処理を進める。S638において、ＣＰＵ103は、スキャナ画像処理部116の処理を停止する。
次に、S639において、ＣＰＵ103は、前記裏面用ページバッファを解放し、当該原稿に対する読み取り処理を終了する。
【０１０１】
以下、図８〜図１１について説明する。
上述したように、図８および図９は、実際の原稿サイズがＬＧＬサイズの原稿に対して、原稿サイズとしてＬＴＲサイズを指定して両面読み取りを実行した際の出力画像の一例を表している。また、図１０および図１１は、実際の原稿サイズがＬＴＲサイズの原稿に対して原稿サイズとしてＬＴＲサイズを指定して両面読み取りを実行した際の出力画像の一例を表している。
【０１０２】
図８Ａは、原稿の画像向きが「縦長」かつ開き方向が「左右開き」である場合の出力画像を表している。この場合、実際の原稿サイズが指定原稿サイズよりも長いが、表面と裏面で読み取り基準端と画像基準端の位置関係が同一である。このため、表面と同様に、裏面の読み取り範囲を指定原稿サイズに設定することで、読取時に不要な画像が除かれ裏面用ページバッファ502に有効画像のみが格納される。よって、裏面用ページバッファ502内の裏面画像データの有効範囲は、裏面用ページバッファ502の先頭アドレスから指定原稿サイズ分と決定され、読み飛ばし量は「０」となる。すなわち、この場合、読み飛ばしは行われない。
【０１０３】
図８Ｂは、原稿の画像向きが「縦長」かつ開き方向が「上下開き」である場合の出力画像を表している。この場合、実際の原稿サイズが指定原稿サイズよりも長く、さらに表面と裏面で読み取り基準端と画像基準端の位置関係が異なる。このため、裏面の読み取り範囲が実際の原稿サイズに設定され、裏面用ページバッファ502には、図７（ａ）のように、実際の原稿サイズの画像（無効画像を含む）が格納される。よって、図７（ｂ）のように、原稿サイズと指定原稿サイズの差分量に対応するライン数分だけ読み飛ばす必要がある。すなわち、裏面画像データの有効範囲は、裏面用ページバッファ502の先頭アドレスに、実際の原稿サイズと指定原稿サイズの差分量を加算したアドレスから、指定原稿サイズ分と決定される。先頭アドレスから、実際の原稿サイズと指定原稿サイズの差分量を加算したアドレスまでが、読み飛ばし量となり、図７（ｂ）のような読み飛ばしが行われ、有効画像のみがスキャナ画像処理部116に入力される。
【０１０４】
図９Ａは、原稿の画像向きが「横長」かつ開き方向が「左右開き」である場合の出力画像を表している。この場合は、図８Ｂと同様である。
図９Ｂは、原稿の画像向きが「横長」かつ開き方向が「上下開き」である場合の出力画像を表している。この場合は、図８Ａと同様である。
【０１０５】
図１０Ａは、原稿の画像向きが「縦長」かつ開き方向が「左右開き」である場合の出力画像を表している。図１０Ｂは、原稿の画像向きが「縦長」かつ開き方向が「上下開き」である場合の出力画像を表している。
図１１Ａは、原稿の画像向きが「横長」かつ開き方向が「左右開き」である場合の出力画像を表している。図１１Ｂは、原稿の画像向きが「横長」かつ開き方向が「上下開き」である場合の出力画像を表している。
【０１０６】
図１０および図１１の場合は、いずれも実際の原稿サイズがＬＴＲサイズの原稿に対して原稿サイズとしてＬＴＲサイズを指定している。このように実際の原稿サイズが指定原稿サイズと同一である。このため、表面と裏面で読み取り基準端と画像基準端の位置関係に関わらず、原稿に不要な画像は含まれず、裏面用ページバッファ502に有効画像のみが格納される。よって、裏面用ページバッファ502内の裏面画像データの有効範囲は、表面と裏面で読み取り基準端と画像基準端の位置関係に関わらず、裏面用ページバッファ502の先頭アドレスから指定原稿サイズ分と決定され、読み飛ばし量は「０」となる。すなわち、この場合、読み飛ばしは行われない。
【０１０７】
以上説明したように、本実施例によれば、画像処理プロセッサやメモリ等のハードウェア資源に制限がある両面画像読取装置で、次のような効果がある。表面と裏面で読み取り基準端と画像基準端の位置関係が異なる両面原稿に対して、表面画像の出力位置や出力範囲に対応した裏面画像の出力を行い、所望の出力結果を得ることが可能となる。すなわち、簡単な構成で、表面画像の出力位置や出力範囲に対応した裏面画像の出力が可能となり、所望の出力結果を得ることが可能となる。
【０１０８】
なお、上述した各種データの構成及びその内容はこれに限定されるものではなく、用途や目的に応じて、様々な構成や内容で構成されていてもよい。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【０１０９】
（その他の実施例）
本発明は、上述の実施例の1以上の機能を実現するプログラムを、ネットワーク又は記憶媒体を介してシステム又は装置に供給し、そのシステム又は装置のコンピュータにおける1つ以上のプロセッサーがプログラムを読出し実行する処理でも実現可能である。また、1以上の機能を実現する回路（例えば、ＡＳＩＣ）によっても実現可能である。
また、本発明は、複数の機器から構成されるシステムに適用しても、1つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【０１１０】
101    画像形成装置
103    ＣＰＵ
105    ＲＡＭ
109    スキャナＩ／Ｆ
114    スキャナ
116    スキャナ画像処理部
【図１】
2018121268.tif 000003
【図２】
2018121268.tif 000004
【図３】
2018121268.tif 000005
【図４】
2018121268.tif 000006
【図５】
2018121268.tif 000007
【図６】
2018121268.tif 000008
【図７】
2018121268.tif 000009
【図８Ａ】
2018121268.tif 000010
【図８Ｂ】
2018121268.tif 000011
【図９Ａ】
2018121268.tif 000012
【図９Ｂ】
2018121268.tif 000013
【図１０Ａ】
2018121268.tif 000014
【図１０Ｂ】
2018121268.tif 000015
【図１１Ａ】
2018121268.tif 000016
【図１１Ｂ】
2018121268.tif 000017